(57)【要約】【課題】個体の画像データに基づき判別される個体情報を参照することにより、端末装置ヘ出力する情報を出力制御する出力制御装置及びその方法を提供する。【解決手段】端末装置から出力する情報としての出力情報を個体の属性情報及び／又は個体を特定する情報と関連付けて格納する出力情報格納部を備え、所定範囲内の該個体を撮像し、該撮像された個体の画像データに基づき、該個体の属性情報及び／又は個体を特定する情報を判別し、該判別された個体の属性情報及び／又は個体を特定する情報に基づき、該出力情報の出力を制御する。【選択図】図１
2015021813.tif 000002
【特許請求の範囲】
【請求項１】
端末装置から出力する情報としての出力情報を個体の属性情報及び／又は個体を特定する情報と関連付けて格納する出力情報格納部と、
所定範囲内の前記個体を撮像する撮像部と、
前記撮像された個体の画像データに基づき、前記個体の属性情報及び／又は個体を特定する情報を判別する個体判別部と、
前記判別された個体の属性情報及び／又は個体を特定する情報に基づき、前記出力情報の出力を制御する出力制御部と、
を備える、出力制御装置。
【請求項２】
前記出力情報は広告及び／又は入出力履歴である、請求項１に記載の出力制御装置。
【請求項３】
前記撮像部で撮像された個体の個体を特定する情報と、該個体に対応した入出力履歴とを関連付けてライブラリを作成するライブラリ作成部、を備え、
前記個体判別部は、前記ライブラリを参照して前記個体の個体を特定する情報を判別し、
前記出力制御部は、前記ライブラリを参照して前記判別された個体の個体を特定する情報に関連付けられた前記入出力履歴を出力するよう制御する、
請求項２に記載の出力制御装置。
【請求項４】
前記撮像部はカメラであり、前記端末装置が備えられた車両内の乗員を撮像する、請求項１〜３のいずれか一項に記載の出力制御装置。
【請求項５】
前記入出力履歴は走行履歴を含み、
前記出力制御部は、更に、前記判別された乗員が乗車する車両が走行している走行経路及び該乗員の走行履歴に基づいて、前記出力情報の出力を制御する、
請求項４に記載の出力制御装置。
【請求項６】
前記個体は人間であり、前記属性情報は、性別、年齢、人種、のうちの少なくとも一である、請求項１〜５のいずれか一項に記載の出力制御装置。
【請求項７】
前記個体を特定する情報は、前記撮像された個体の画像データ及び／又は前記個体のＩＤ情報である、請求項１〜６のいずれか一項に記載の出力制御装置。
【請求項８】
端末装置から出力する情報としての出力情報を個体の属性情報及び／又は個体を特定する情報と関連付けて出力情報格納部に格納する出力情報格納ステップと、
撮像部が、所定範囲内の前記個体を撮像する撮像ステップと、
個体判別部が、前記撮像された個体の画像データに基づき、前記個体の属性情報及び／又は個体を特定する情報を判別する個体判別ステップと、
出力制御部が、前記判別された個体の属性情報及び／又は個体を特定する情報に基づき、前記出力情報の出力を制御する出力制御ステップと、
を備える、出力制御方法。
【請求項９】
前記出力情報は広告及び／又は入出力履歴である、請求項８に記載の出力制御方法。
【請求項１０】
ライブラリ作成部が、前記撮像ステップにおいて撮像された個体の個体を特定する情報と、該個体に対応した入出力履歴とを関連付けてライブラリを作成するライブラリ作成ステップ、を備え、
前記個体判別ステップでは、前記ライブラリを参照して前記個体の個体を特定する情報を判別し、
前記出力制御ステップでは、前記ライブラリを参照して前記判別された個体の個体を特定する情報に関連付けられた前記入出力履歴を出力するよう制御する、
請求項９に記載の出力制御方法。
【請求項１１】
前記撮像ステップでは、カメラで前記端末装置が備えられた車両内の乗員を撮像する、請求項８〜１０のいずれか一項に記載の出力制御方法。
【請求項１２】
前記入出力履歴は走行履歴を含み、
前記出力制御ステップでは、更に、前記判別された乗員が乗車する車両が走行している走行経路及び該乗員の走行履歴に基づいて、前記出力情報の出力を制御する、
請求項１１に記載の出力制御方法。
【請求項１３】
前記個体は人間であり、前記属性情報は、性別、年齢、人種、のうちの少なくとも一である、請求項８〜１２のいずれか一項に記載の出力制御方法。
【請求項１４】
前記個体を特定する情報は、前記撮像された個体の画像データ及び／又は前記個体のＩＤ情報である、請求項８〜１３のいずれか一項に記載の出力制御方法。
【請求項１５】
出力制御するためのコンピュータプログラムであって、コンピュータを、
端末装置から出力する情報としての出力情報を個体の属性情報及び／又は個体を特定する情報と関連付けて格納する出力情報格納手段と、
所定範囲内の前記個体を撮像する撮像手段と、
前記撮像された個体の画像データに基づき、前記個体の属性情報及び／又は個体を特定する情報を判別する個体判別手段と、
前記判別された個体の属性情報及び／又は個体を特定する情報に基づき、前記出力情報の出力を制御する出力制御手段、
として機能させる、コンピュータプログラム。
【請求項１６】
前記出力情報は広告及び／又は入出力履歴である、請求項１５に記載のコンピュータプログラム。
【請求項１７】
前記コンピュータを、更に、
前記撮像手段で撮像された個体の個体を特定する情報と、該個体に対応した入出力履歴とを関連付けてライブラリを作成するライブラリ作成手段、として機能させ、
前記個体判別手段は、前記ライブラリを参照して前記個体の個体を特定する情報を判別し、
前記出力制御手段は、前記ライブラリを参照して前記判別された個体の個体を特定する情報に関連付けられた前記入出力履歴を出力するよう制御する、
請求項１６に記載のコンピュータプログラム。
【請求項１８】
前記撮像手段はカメラであり、前記端末装置が備えられた車両内の乗員を撮像する、請求項１５〜１７のいずれか一項に記載のコンピュータプログラム。
【請求項１９】
前記入出力履歴は走行履歴を含み、
前記出力制御手段は、更に、前記判別された乗員が乗車する車両が走行している走行経路及び該乗員の走行履歴に基づいて、前記出力情報の出力を制御する、
請求項１８に記載のコンピュータプログラム。
【請求項２０】
前記個体は人間であり、前記属性情報は、性別、年齢、人種、のうちの少なくとも一である、請求項１５〜１９のいずれか一項に記載のコンピュータプログラム。
【請求項２１】
前記個体を特定する情報は、前記撮像された個体の画像データ及び／又は前記個体のＩＤ情報である、請求項１５〜２０のいずれか一項に記載のコンピュータプログラム。
【請求項２２】
請求項１５〜請求項２１のいずれかに記載のコンピュータプログラムを記録する記録媒体。
【発明の詳細な説明】
【技術分野】
【０００１】
本発明は、個体の画像データに基づき判別される個体情報を参照することにより、端末装置ヘ出力する情報を出力制御する出力制御装置及びその方法に関する。
【背景技術】
【０００２】
近年、カーナビゲーション装置やスマートフォン等の移動体端末装置の普及と相まって、当該端末装置からの出力情報も多様化している。そして、このような出力情報の多様化に伴い、端末ユーザ等の条件に応じて当該出力情報を配信する技術が提案されている。
このような技術として特許文献１では、車載装置がセンタからコンテンツ情報を取得する際、車両がユーザの生活圏内に存在するか否かに応じて、該コンテンツ情報の提示方法を設定する技術、さらには、同乗者の有無を考慮して該コンテンツ情報の提示方法を設定する技術が開示されている。
本発明に関連する従来技術を開示する特許文献２〜４も参照されたい。
【先行技術文献】
【特許文献】
【０００３】
【特許文献１】特開２０１１−０２２７５６号公報
【特許文献２】特開２００２−０４８５６７号公報
【特許文献３】特開２０１２−１６３３８２号公報
【特許文献４】特開２００６−０１２０８１号公報
【発明の概要】
【発明が解決しようとする課題】
【０００４】
本発明者は、端末装置からの出力情報を制御する際に、端末装置を利用するユーザのユーザ情報をより精度良く判別し、当該判別されたユーザ情報に基づいてより詳細に出力情報を制御すべく鋭意検討を重ねてきた。その結果、撮像部により撮像された個体の画像データに基づき、該個体の属性情報及び／又は個体を特定する情報を判別し、該判別された情報に基づいて出力情報の出力を制御することに想到した。
【課題を解決するための手段】
【０００５】
この発明は上述の課題に鑑みてなされたものであり、その第１の局面は次のように規定される。即ち、
端末装置から出力する情報としての出力情報を個体の属性情報及び／又は個体を特定する情報と関連付けて格納する出力情報格納部と、
所定範囲内の前記個体を撮像する撮像部と、
前記撮像された個体の画像データに基づき、前記個体の属性情報及び／又は個体を特定する情報を判別する個体判別部と、
前記判別された個体の属性情報及び／又は個体を特定する情報に基づき、前記出力情報の出力を制御する出力制御部と、
を備える、出力制御装置。
【０００６】
このように規定される第１の局面の出力制御装置によれば、端末装置から出力情報を出力する際に、所定範囲内の個体を撮像し、該撮像された個体の画像データに基づき、該個体の属性情報及び／又は個体を特定する情報を判別する。そして、該判別された情報と上記出力情報に関連付けられた個体の属性情報及び／又は個体を特定する情報とに基づいて、上記出力情報の出力制御を行う。このような出力制御によれば、撮像された個体の画像データを用いることによりより精度良く個体の情報を判別することが可能となる。また、このように精度良く判別された個体の情報と、出力情報に関連付けられた個体の情報とに基づくことで、より詳細に上記出力制御を行うことが可能となる。
ここで、当該出力情報としては、上記端末装置から出力する情報であれば特に限定されず、例えば、店舗や施設、商品等の広告情報、目的地履歴、走行履歴等の情報が挙げられる。これらの情報の他、当該出力情報は、当該広告情報等を出力する際の言語情報を含んでいても良い。
また、上記個体としては、例えば人間が挙げられるが、これに限られず動物等であっても良い。
【０００７】
上記属性情報としては、例えば、人間か動物かの情報、人間である場合には性別や年齢、人種、肌の色、瞳の色、髪の色等に関する情報が挙げられる。当該年齢に関する情報としては、２０歳代未満、２０歳代、３０歳代、４０歳代…等の年齢層情報であっても良いし、幼児、小児、成人、老人等の年齢区分情報であっても良い。当該人種に関する情報としては、アジア人、欧米人等の地域別情報や、日本人、アメリカ人、イタリア人等の国別情報等が挙げられる。これらの人種に関する情報は、例えば、上記属性情報としての肌の色、瞳の色、髪の色等に基づいて特定することとできる。動物である場合、属性情報は、哺乳類、鳥類、爬虫類等の分類情報や、犬、猫、猿等の種類情報等とすることとできる。これらの属性情報の一又は二以上が上記出力情報に関連付けられることとなる。
上記個体を特定する情報としては、後述する撮像部で撮像された個体の画像データや、当該ＩＤ情報等とすることとできる。当該ＩＤ情報は、画像データに対応して付与されていても良いし、画像データの解析に基づいて得られる解析データに対応して付与されていても良い。
上記撮像部としては、動画像や静止画像を撮像するカメラ等が挙げられる。当該撮像部は、端末装置に内蔵若しくは接続することにより備えられる。
【０００８】
上記出力情報は、端末装置から出力される情報であり、特には、広告及び／又は入出力履歴とすることとできる（第２の局面）。また、当該入出力履歴としては、目的地履歴、走行履歴、検索履歴等が挙げられる。
上記撮像部はカメラであり、前記端末装置が備えられた車両内の乗員を撮像することとできる（第４の局面）。このように規定される第４の局面の出力制御装置によれば、車両内の乗員に応じた出力情報の出力制御を行うことができる。
上記個体は人間であり、上記属性情報は、性別、年齢、人種、のうちの少なくとも一とすることとできる（第６の局面）。このように規定される第６の局面の出力制御装置によれば、性別、年齢、人種等の属性に応じた出力情報の出力制御を行うことができる。
上記個体を特定する情報は、前記撮像された個体の画像データ及び／又は前記個体のＩＤ情報とすることとできる（第７の局面）。
【０００９】
この発明の第３の局面は次のように規定される。即ち、
第２の局面に規定の出力制御装置において、前記撮像部で撮像された個体の個体を特定する情報と、該個体に対応した入出力履歴とを関連付けてライブラリを作成するライブラリ作成部、を備え、
前記個体判別部は、前記ライブラリを参照して前記個体の個体を特定する情報を判別し、
前記出力制御部は、前記ライブラリを参照して前記判別された個体の個体を特定する情報に関連付けられた前記入出力履歴を出力するよう制御する。
このように規定される第３の局面に規定の出力制御装置によれば、個体を特定する情報と該個体に対応した入出力履歴とを関連付けたライブラリを作成する。そして、当該作成されたライブラリを参照して、撮像された個体の個体を特定する情報を判別し、該判別された情報が関連付けられた出力情報を出力するよう制御する。このような出力制御装置によれば、上記ライブラリを参照することで各個体に応じた出力情報の出力制御を行うことができるため、より詳細な出力制御を行うことが可能となる。
【００１０】
この発明の第５の局面は次のように規定される。即ち、
第４の局面に規定の出力制御装置において、前記入出力履歴は走行履歴を含み、
前記出力制御部は、更に、前記判別された乗員が乗車する車両が走行している走行経路及び該乗員の走行履歴に基づいて、前記出力情報の出力を制御する。
このように規定される第５の局面に規定の出力制御装置によれば、上記判別された乗員による現在の走行経路と該乗員の過去の走行履歴とを参照して、該乗員の現在の走行経路に応じた出力情報を出力するよう制御することができる。
【００１１】
また、この発明の第８の局面は次のように規定される。即ち、
端末装置から出力する情報としての出力情報を個体の属性情報及び／又は個体を特定する情報と関連付けて出力情報格納部に格納する出力情報格納ステップと、
撮像部が、所定範囲内の前記個体を撮像する撮像ステップと、
個体判別部が、前記撮像された個体の画像データに基づき、前記個体の属性情報及び／又は個体を特定する情報を判別する個体判別ステップと、
出力制御部が、前記判別された個体の属性情報及び／又は個体を特定する情報に基づき、前記出力情報の出力を制御する出力制御ステップと、
を備える、出力制御方法。
このように規定される第８の局面の発明によれば、第１の局面と同等の効果を奏する。
【００１２】
この発明の第９の局面は次のように規定される。即ち、
第８の局面に規定の方法において、前記出力情報は広告及び／又は入出力履歴である。
このように規定される第９の局面の発明によれば、第２の局面と同等の効果を奏する。
【００１３】
この発明の第１０の局面は次のように規定される。即ち、
第９の局面に規定の方法において、ライブラリ作成部が、前記撮像ステップにおいて撮像された個体の個体を特定する情報と、該個体に対応した入出力履歴とを関連付けてライブラリを作成するライブラリ作成ステップ、を備え、
前記個体判別ステップでは、前記ライブラリを参照して前記個体の個体を特定する情報を判別し、
前記出力制御ステップでは、前記ライブラリを参照して前記判別された個体の個体を特定する情報に関連付けられた前記入出力履歴を出力するよう制御する。
このように規定される第１０の局面の発明によれば、第３の局面と同等の効果を奏する。
【００１４】
この発明の第１１の局面は次のように規定される。即ち、
第８〜第１０のいずれかの局面に規定の方法において、前記撮像ステップでは、カメラで前記端末装置が備えられた車両内の乗員を撮像する。
このように規定される第１１の局面の発明によれば、第４の局面と同等の効果を奏する。
【００１５】
この発明の第１２の局面は次のように規定される。即ち、
第１１の局面に規定の方法において、前記入出力履歴は走行履歴を含み、
前記出力制御ステップでは、更に、前記判別された乗員が乗車する車両が走行している走行経路及び該乗員の走行履歴に基づいて、前記出力情報の出力を制御する。
このように規定される第１２の局面の発明によれば、第５の局面と同等の効果を奏する。
【００１６】
この発明の第１３の局面は次のように規定される。即ち、
第８〜第１２のいずれかの局面に規定の方法において、前記個体は人間であり、前記属性情報は、性別、年齢、人種、のうちの少なくとも一である。
このように規定される第１３の局面の発明によれば、第６の局面と同等の効果を奏する。
【００１７】
この発明の第１４の局面は次のように規定される。即ち、
第８〜第１３のいずれかの局面に規定の方法において、前記個体を特定する情報は、前記撮像された個体の画像データ及び／又は前記個体のＩＤ情報である。
このように規定される第１４の局面の発明によれば、第７の局面と同等の効果を奏する。
【００１８】
更に、この発明の第１５の局面は次のように規定される。即ち、
出力制御するためのコンピュータプログラムであって、コンピュータを、
端末装置から出力する情報としての出力情報を個体の属性情報及び／又は個体を特定する情報と関連付けて格納する出力情報格納手段と、
所定範囲内の前記個体を撮像する撮像手段と、
前記撮像された個体の画像データに基づき、前記個体の属性情報及び／又は個体を特定する情報を判別する個体判別手段と、
前記判別された個体の属性情報及び／又は個体を特定する情報に基づき、前記出力情報の出力を制御する出力制御手段、
として機能させる、コンピュータプログラム。
このように規定される第１５の局面の発明によれば、第１の局面と同等の効果を奏する。
【００１９】
この発明の第１６の局面は次のように規定される。即ち、
第１５の局面に規定のコンピュータプログラムにおいて、前記出力情報は広告及び／又は入出力履歴である。
このように規定される第１６の局面の発明によれば、第２の局面と同等の効果を奏する。
【００２０】
この発明の第１７の局面は次のように規定される。即ち、
第１６の局面に規定のコンピュータプログラムにおいて、前記コンピュータを、更に、
前記撮像手段で撮像された個体の個体を特定する情報と、該個体に対応した入出力履歴とを関連付けてライブラリを作成するライブラリ作成手段、として機能させ、
前記個体判別手段は、前記ライブラリを参照して前記個体の個体を特定する情報を判別し、
前記出力制御手段は、前記ライブラリを参照して前記判別された個体の個体を特定する情報に関連付けられた前記入出力履歴を出力するよう制御する。
このように規定される第１７の局面の発明によれば、第３の局面と同等の効果を奏する。
【００２１】
この発明の第１８の局面は次のように規定される。即ち、
第１５〜第１７のいずれかの局面に規定のコンピュータプログラムにおいて、前記撮像手段はカメラであり、前記端末装置が備えられた車両内の乗員を撮像する。
このように規定される第１８の局面の発明によれば、第４の局面と同等の効果を奏する。
【００２２】
この発明の第１９の局面は次のように規定される。即ち、
第１８の局面に規定のコンピュータプログラムにおいて、前記入出力履歴は走行履歴を含み、
前記出力制御手段は、更に、前記判別された乗員が乗車する車両が走行している走行経路及び該乗員の走行履歴に基づいて、前記出力情報の出力を制御する。
このように規定される第１９の局面の発明によれば、第５の局面と同等の効果を奏する。
【００２３】
この発明の第２０の局面は次のように規定される。即ち、
第１５〜第１９のいずれかの局面に規定のコンピュータプログラムにおいて、前記個体は人間であり、前記属性情報は、性別、年齢、人種、のうちの少なくとも一である。
このように規定される第２０の局面の発明によれば、第６の局面と同等の効果を奏する。
【００２４】
この発明の第２１の局面は次のように規定される。即ち、
第１５〜第２０のいずれかの局面に規定のコンピュータプログラムにおいて、前記個体を特定する情報は、前記撮像された個体の画像データ及び／又は前記個体のＩＤ情報である。
このように規定される第２１の局面の発明によれば、第７の局面と同等の効果を奏する。
【００２５】
第１５〜第２１のいずれかの局面に規定されるコンピュータプログラムを記録する記録媒体が第２２の局面として規定される。
【図面の簡単な説明】
【００２６】
【図１】本発明の実施の形態の出力制御装置１の構成を示すブロック図である。
【図２】本発明の実施の形態の出力制御装置１の動作の一例を示すフローチャートである。
【図３】本発明の他の実施の形態の出力制御装置２１の構成を示すブロック図である。
【図４】本発明の他の実施の形態の出力制御装置４１の構成を示すブロック図である。
【図５】本発明の実施例の出力制御装置１の構成を示すブロック図である。
【発明を実施するための形態】
【００２７】
この発明の実施の形態の出力制御装置を説明する。
図１に、出力制御装置１の概略構成を示す。
図１に示すように、この出力制御装置１は、出力情報格納部３、撮像部５、個体判別部７及び出力制御部９を備えている。
この装置１は、端末装置に搭載されて用いられる。当該端末装置はインターネットなどのネットワークに接続可能な通信端末であれば限定されないが、特には、ユーザが携帯可能な移動体端末とすることとできる。このような移動体端末として、例えば、車載ナビゲーション装置、スマートフォン、スマートテレビ、スマートブック、タブレット端末、携帯電話機、ノート型ＰＣ、ＰＤＡ（Ｐｏｒｔａｂｌｅ Ｄｉｇｉｔａｌ Ａｓｓｉｓｔａｎｔｓ）、携帯ゲーム機、ＰＮＤ（Ｐｏｒｔａｂｌｅ Ｎａｖｉｇａｔｉｏｎ Ｄｅｖｉｃｅ）等が挙げられる。また、上記装置１を組み込む対象は上記移動体端末に限らず、備え置いて使用することを前提とするパーソナルコンピュータ等であっても良い。この例において、端末装置が車載ナビゲーション装置であるものとして以下説明する。
【００２８】
出力情報格納部３には、端末装置から出力する情報としての出力情報が個体の属性情報及び／又は個体を特定する情報と関連付けて格納されている。この出力制御装置１において、当該出力情報格納部３は広告情報格納部３１を備えている。
当該広告情報格納部３１には、広告情報が属性情報と関連付けて格納されている。当該広告情報としては、飲食店、遊戯施設、宿泊施設等の施設宣伝情報や商品紹介情報等が挙げられる。上記広告情報格納部３１に格納される情報として、具体的には、Ａ施設の施設宣伝情報に属性情報としての「男性」、Ｂ施設の施設宣伝情報に属性情報としての「女性、成人」、Ｃ施設の施設宣伝情報に属性情報としての「動物可」、Ｄ商品の商品紹介情報に属性情報としての「女性、２０歳代、３０歳代、４０歳代」、Ｅ商品の商品紹介情報に属性情報としての「幼児」等が挙げられる。当該広告情報には、特典を受けられるクーポン情報が付加されていても良い。また、当該施設宣伝情報には、対応する施設の位置情報が関連付けられていても良い。
【００２９】
撮像部５は、所定範囲内の上記個体を撮像する。当該撮像部５としては車載カメラが挙げられ、当該車載カメラが備えられた車両内に存在する個体を撮像する。当該車載カメラは有線若しくは無線を介して車載ナビゲーション装置に接続され、当該車載カメラで撮像された画像データは車載ナビゲーション装置に組み込まれた出力制御装置１に送られる。
個体判別部７は、上記撮像部５で撮像された個体の画像データに基づき、該個体の属性情報を判別する。当該判別の方法は、特に限定されず、従来から提案されている種々の技術を用いることができる。例えば、撮像部５で得られた画像データから顔画像を抽出し、当該顔画像に含まれる顔の骨格や寸法に基づき性別に関する属性を判別し、当該顔画像に含まれるパーツの位置やしわ等に基づき年齢に関する属性を判別することとできる。また、人種に関する属性については、上記顔画像に含まれる肌の色、瞳の色、髪の色等に基づいて判別することとできる。この例において、個体判別部７は、車両内に存在する個体の属性として、「女性、３０歳代」及び「幼児」と判別したものとする。
【００３０】
出力制御部９は、上記個体判別部７で判別された個体の属性情報に基づき、上記出力情報の出力を制御する。当該制御の方法としては、特に限定されないが、例えば、上記個体の属性情報が上記出力情報に関連付けられた属性情報に含まれるとき、当該出力情報を出力することとできる。この例において、上記個体判別部７で車両内に存在する個体の属性情報は、「女性、３０歳代」及び「幼児」と判別されている。このため、上記出力制御部９は、上記広告情報格納部３１に格納されている広告情報のうち、「女性、３０歳代」、「幼児」を含む広告情報、すなわち、Ｂ施設、Ｄ商品及びＥ商品の広告情報を出力するよう制御する。また、個体判別部７で判別された個体の属性情報が車両内の座席情報と関連付けられている場合には、例えば、運転席と関連付けられた個体の属性情報を優先的に出力する等、座席情報に基づいて出力制御することとできる。
【００３１】
この例において、上記個体判別部７が、上記画像データに基づいて、個体の属性として「犬」の判別も行った場合には、上記出力制御部９は、上記広告情報のうち「動物可」の属性情報が関連付けられたＣ施設の広告情報を併せて出力するよう制御することとできる。他にも、「動物」や「犬」の属性情報が関連付けられた施設や商品に関する広告情報を併せて出力するよう制御できる。
また、上記広告情報に出力する際の言語情報及び言語属性を含んでいる場合であって、上記個体判別部７が、上記画像データに基づいて、個体の属性として「欧米人」の判別も行った場合には、上記出力制御部９は、Ｂ施設、Ｄ商品及びＥ商品の広告情報を出力する際に、英語で出力するよう制御することとしても良い。
【００３２】
さらには、上記出力情報格納部３は、ナビゲーション装置において以前に目的地として設定された施設や地点等を目的地履歴として格納する目的地履歴格納部、及び、該施設や地点等に関する属性情報を備えた施設情報格納部を備えていても良い。この場合、上記出力制御部９は、上記個体判別部７、目的地履歴格納部及び施設情報格納部を参照して、車両内に存在する個体の属性情報に合致する目的地履歴を出力するよう制御することとできる。
上記の例では、出力制御装置１を車載ナビゲーション装置に搭載したが、該出力制御装置をスマートフォンやパーソナルコンピュータに搭載した場合には、例えばこれら機器に内蔵されたカメラによって撮像された個体の画像データに基づき、出力情報としての検索履歴等の出力を制御することとできる。この場合において、検索履歴には所定の属性情報が関連付けられる等することとできる。
【００３３】
図２を用いて、図１に示す出力制御装置１の動作を説明する。
まず、ステップ１では、撮像部５は、車両内の個体を撮像する。
ステップ３では、個体判別部７は、ステップ１で撮像された個体の画像データに基づき、該個体の性別及び年齢層を判別する。
ステップ５では、出力制御部９は、ステップ３で判別された個体の性別及び年齢層に基づき、該判別された性別及び年齢層を含む属性情報が関連付けられた広告情報を広告情報格納部３１から読み出し、出力部から出力するよう制御する。
【００３４】
図３に、他の実施の形態の出力制御装置２１を示す。図３において、図１と同一の要素には同一の符号を付して、その説明を部分的に省略する。
図３に示すのは、撮像された画像データに基づいて付与される個体ＩＤと該個体ＩＤに関連付けて格納される目的地履歴とから作成されるライブラリを参照し、該個体ＩＤに関連付けられた目的地履歴を出力制御可能な出力制御装置２１である。すなわち、当該装置２１は、図１に示す装置１において、入力部２３及びライブラリ作成部２５を更に備え、出力情報格納部３、個体判別部７及び出力制御部９に代えて、夫々出力情報格納部２７、個体判別部２９及び出力制御部３０を備える。この例においても、当該出力制御装置２１が車載ナビゲーション装置に搭載されて利用されるものとして以下説明する。
【００３５】
入力部２３は、目的地検索のための目的地の入力を受け付ける。具体的には、住所検索において「名古屋市中村区名駅南○丁目×番地」、施設名称検索において「△△株式会社」等を入力することとできる。このような入力部２３として、ディスプレイの表示内容と協働するタッチパネル、ライトペン又はマウス等のポインティングデバイスやキーボード又はマイクロホン等の音声入力装置を用いることとできる。
ライブラリ作成部２５は、上記撮像部５で撮像され、後述の個体判別部２９で判別された個体のＩＤ情報（個体ＩＤ）と、該個体の目的地履歴とが関連付けられたライブラリを作成する。当該個体ＩＤには、更に、該個体の画像データが関連付けられていても良く、また、当該画像データに含まれる顔のパーツの位置や大きさ、肌や瞳、髪の色等の特徴に関するデジタル情報が関連付けられていても良い。上記目的地履歴としては、施設名称検索において施設名称、住所検索において入力された住所に対応する地点や施設名称等とすることとできる。当該個体ＩＤとしては、例えば、車両内において運転席に位置する個体についての個体ＩＤとしても良く、また、車両内の同乗者の各個体ＩＤについても同様に上記目的地履歴を関連付けることとしても良い。更には、車両内の運転者及び同乗者を一のグループとし、該グループに付与されるクループＩＤに上記目的地履歴を関連付けることとしても良い。当該作成されたライブラリは、出力情報格納部２７内のＩＤ−目的地履歴ライブラリ２７１に格納される。
【００３６】
出力情報格納部２７には、ＩＤ−目的地履歴ライブラリ２７１が格納されている。該ＩＤ−目的地履歴ライブラリ２７１には、ナビゲーション装置において以前に目的地として設定された施設や地点等の目的地履歴が、個体ＩＤと関連付けて格納されている。該ライブラリ２７１は、後述の個体判別部２９における個体の判別及び出力制御部３０における出力情報の選択に用いられる。
個体判別部２９は、上記撮像部５で撮像された個体の画像データに基づき、該個体の個体ＩＤを判別する。当該判別の方法としては、特に限定されず、従来より提案されている方法とすることとできる。例えば、個体判別部２９は、上記撮像された顔画像と、上記ＩＤ−目的地履歴ライブラリ２７１内に格納された画像データを参照し、該顔画像とマッチする画像データに関連付けられた個体ＩＤに基づき、上記顔画像の個体ＩＤを判別する。別の例として、上記ライブラリにおいて、個体ＩＤに個体を判別可能なデジタル情報が関連付けられている場合には、個体判別部２９は、上記顔画像の特徴情報をデジタル化し、該デジタル化された情報と該ライブラリ内のデジタル情報とを比較することにより個体ＩＤを判別することとできる。また、個体ＩＤを判別することができない個体について、個体判別部２９は該個体の画像データをライブラリ作成部２５に送り、該ライブラリ作成部２５は新規な個体のＩＤ−目的地履歴ライブラリを作成する。
【００３７】
出力制御部３０は、ＩＤ−目的地履歴ライブラリ２７１を参照して、上記個体判別部２９により判別された個体ＩＤに関連付けられた目的地履歴を出力するよう制御する。上記個体判別部２９が複数の個体を判別した場合には、各個体ＩＤに関連付けられた全ての目的地履歴を出力することとしても良いし、各個体ＩＤに関連付けられた目的地のうち重複する目的地履歴を出力することとしても良い。
この例において、上記出力情報格納部２７には、ＩＤ−目的地履歴ライブラリ２７１が格納されることとしたが、これに代えてあるいはこれと併せて、個体ＩＤに走行履歴が関連付けられたＩＤ−走行履歴ライブラリが格納されていても良い。この場合、上記出力制御部３０は、上記判別された個体ＩＤに関連付けられた走行履歴を出力するよう制御することとできる。
【００３８】
図４に、他の実施の形態の出力制御装置４１を示す。図４において、図１及び図３と同一の要素には同一の符号を付して、その説明を部分的に省略する。
図４に示すのは、車両の走行経路と個体の走行履歴とを比較することにより、現在の走行経路を考慮して広告情報等を出力制御可能な出力制御装置４１である。すなわち、当該装置４１は、図１に示す装置１において、走行経路特定部４３、ＩＤ−走行履歴ライブラリ４５及び経路比較部４７を更に備え、個体判別部７及び出力制御部９に代えて、夫々個体判別部４９及び出力制御部５０を備える。この例においても、当該出力制御装置４１が車載ナビゲーション装置に搭載されて利用されるものとして以下説明する。
【００３９】
走行経路特定部４３は、車両の走行経路を特定する。当該特定の方法は、特に限定されないが、例えば、ナビゲーション装置において目的地を入力することにより予め探索された走行経路を用いることとできる。また、他の例としては、走行スタート位置から現在位置に至るまでの走行履歴を走行経路とすることとできる。
ＩＤ−走行履歴ライブラリ４５には、個体の個体ＩＤと該個体の走行履歴とを関連付けたライブラリが格納されている。このようなライブラリは、上記ＩＤ−目的地履歴ライブラリと同様の方法によって作成することとできる。
個体判別部４９は、上記撮像部５及びＩＤ−走行履歴ライブラリ４５を参照して、撮像された個体の画像データから該個体の個体ＩＤを判別する。当該判別の方法は、特に限定されず、上記個体判別部２９と同様の方法により行うこととできる。
【００４０】
経路比較部４７は、走行経路特定部４３、ＩＤ−走行履歴ライブラリ及び個体判別部４９を参照して、現在走行中の走行経路と個体判別部４９で判別された個体ＩＤに関連付けられた走行履歴とを比較する。該比較の結果は後述の出力制御部５０に送られる。
出力制御部５０は、経路比較部４７及び個体判別部４９を参照して、上記広告情報格納部３１に格納された広告情報の出力を制御する。当該出力制御の方法は、特に限定されないが、経路比較部４７の比較の結果、現在走行中の走行経路が上記個体判別部４９で判別された個体の通勤経路等定期的に走行する経路であると判定される場合には、出力制御部５０は上記広告情報の出力を行わないよう制御することとできる。他の例としては、娯楽や観光等に関する広告情報を出力しないよう制御することとしても良い。
【００４１】
図５に、実施例のナビゲーション装置５１を示す。図５において、図１、図３及び図４と同一の要素には同一の符号を付して、その説明を部分的に省略する。
図５に示すのは、図１に示す装置１を備えたナビゲーション装置５１である。このナビゲーション装置５１は、制御部５１０、メモリ部５１１、入力部５１２、出力部５１３、インターフェース部５１４、車両位置特定部５１５、出力情報格納部３、撮像部５、個体判別部７及び出力制御部９を備えている。
【００４２】
制御部５１０はＣＰＵ、バッファメモリその他の装置を備えたコンピュータ装置であり、ナビゲーション装置５１を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、ナビゲーション装置の記憶装置としての内蔵ハードディスク又は内蔵メモリ、ナビゲーション装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
入力部５１２は、例えば、ユーザの指令の入力に用いられる。入力部５１２として、ディスプレイの表示内容と協働するタッチパネル、ライトペン又はマウス等のポインティングデバイスやキーボード又はマイクロホン等の音声入力装置を用いることとできる。
【００４３】
出力部５１３はディスプレイを含み、上記広告情報格納部３１に格納された広告情報を出力する。他にも、一般的なナビゲーション装置において出力される目的地検索のための検索画面、地図、その他の情報を表示する。この出力部５１３は音声発信部を含むこともできる。
インターフェース部５１４はナビゲーション装置５１を無線ネットワーク等へ連結させる。
車両位置特定部５１５は、ＧＰＳ装置やジャイロ装置により車両の現在の位置情報を特定する。併せて、現在時刻を特定することもできる。
上記装置５１では、上記出力制御装置１の全ての構成を組み込んでいるが、当該構成の一部をサーバ装置で実行可能とする出力制御システムとしても良い。当該サーバ装置で実行可能な構成は、特に限定されないが、例えば、個体判別部７及び出力制御部９とすることとできる。
また、上記実施の形態及び実施例において、個体判別部７は、撮像部で撮像された画像データに基づいて個体を判別することとしているが、これに限られず、音声等、個体を判別可能な情報と適宜組み合わせて個体を判別することとしても良い。
【００４４】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４６】
１  ２１  ４１  出力制御装置
３  ２７  出力情報格納部
５  撮像部
７  ２９  ４９  個体判別部
９  ３０  ５０  出力制御部
２３  入力部
２５  ライブラリ作成部
４３  走行経路特定部
４５  ＩＤ−走行履歴ライブラリ
４７  経路比較部
【図１】
2015021813.tif 000003
【図２】
2015021813.tif 000004
【図３】
2015021813.tif 000005
【図４】
2015021813.tif 000006
【図５】
2015021813.tif 000007